(57)【特許請求の範囲】
【請求項１】
袋体の胴部を形成している表裏二枚の胴部フィルム（１ａ・１ｂ）と、袋体の両側部内方に向けてＶ字状に折り込まれたものであってその袋体の両側部を形成している左右一対の横ガゼット（４・４）と、袋体の底部内方に向けて逆Ｖ字状に折り込まれたものであってその袋体の底部を形成している底ガゼット（３）とを具備するものであること、および、
前記両横ガゼット（４・４）が前記両胴部フィルム（１ａ・１ｂ）の両側部間に介在されてその両胴部フィルム（１ａ・１ｂ）の両側部に接着されているものであること、および、
前記両胴部フィルム（１ａ・１ｂ）の上端部側には袋体の開口部（２）があり、その開口部（２）の内側には、袋内の両側部にわたる横長のものであって雌雄咬合型のものからなるチャック（３）が設けられていること
を前提とする合成樹脂製袋体において、
前記両横ガゼット（４・４）がそれぞれ三角形をしたものからなり、その両三角形横ガゼット（４・４）における各底辺（Ｂ）がそれぞれ前記底ガゼット（３）の折り込み幅の２倍の長さを有していること、および、
前記両三角形横ガゼット（４・４）の下辺がそれぞれＷ字状に折り込まれているとともに、両三角形横ガゼット（４・４）の当該Ｗ字状に折り込み部を除いた部分がそれぞれＶ字状に折り込まれており、かつ、このＷ字状に折り込みとＶ字状折り込みとによる第１折り込み稜線（４ａ）と第２折り込み稜線（４ｂ）と第３折り込み稜線（４ｃ・４ｃ）とを前記両三角形横ガゼット（４・４）がそれぞれ備えていること、および、
前記両三角形横ガゼット（４・４）の各頂点（Ｐ・Ｐ）が前記チャック（３）の両端部直下にあって、そのチャック（３）の上には両側部を接着された前記開口部（２）があること、および、
前記Ｖ字状の折り込み状態における前記両三角形横ガゼット（４・４）の各第１折り込み稜線（４ａ・４ａ）が、それぞれ各三角形横ガゼット（４・４）の頂点Ｐから前記底ガゼット（３）における折り込み稜線８ｃの両端にわたるものであるとともに、各三角形横ガゼット（４・４）の頂点（Ｐ・Ｐ）から折り込み稜線（８ｃ）の両端に向かうにしたがい袋体の内方へ傾斜するものであること、および、
前記両三角形横ガゼット（４・４）の各第２折り込み稜線（４ｂ・４ｂ）が前記Ｗ字状折り込み部の山折り線に該当するものであり、しかも、前記Ｗ字状の折り込み状態における該各第２折り込み稜線（４ｂ・４ｂ）が、前記各第１折り込み稜線（４ａ・４ａ）と前記底ガゼット折り込み稜線８ｃとの交点（Ｑ・Ｑ）を基点として、その底ガゼット折り込み稜線（８ｃ）の両端から袋体の両側部方向へ延びるものであること、および、
前記両三角形横ガゼット（４・４）の各第３折り込み稜線（４ｃ・４ｃ・４ｃ・４ｃ）が前記Ｗ字状折り込み部の谷折り線に該当するものであり、しかも、前記Ｗ字状の折り込み状態における該各第３折り込み稜線（４ｃ・４ｃ・４ｃ・４ｃ）が、前記各第１折り込み稜線（４ａ・４ａ）と前記底ガゼット折り込み稜線（８ｃ）との交点（Ｑ・Ｑ）を基点として、その底ガゼット折り込み稜線（８ｃ）の両端から袋体底部の四隅部方向へ延びるものであること、および、
内容物の充填により膨らんだときの袋体について、その袋体の両側部にある折り込み状態の前記両三角形横ガゼット（４・４）と、その袋体の底部にある折り込み状態の前記底ガゼット（３）とが、それぞれ展開状態になるものであること
を特徴とする合成樹脂製袋体。
【発明の詳細な説明】
【技術分野】
【０００１】
本発明は、横ガゼットを備えた合成樹脂製袋体に関するものである。
【背景技術】
【０００２】
横ガゼットを備えた合成樹脂製袋体は周知であり、最も一般的なものは図６で示すように、表裏２枚の胴部フィルムの両サイドに長方形の横ガゼット４０を、その上端縁を開口部の内側まで位置して内方に向けてＶ字状に折り込み、このＶ字状に折り込み稜線４０ａが袋体のサイドと平行で接着し、横ガゼット４０の上端縁を袋体のトップシール５１とは別個にシール５０した構造である。
【０００３】
このような従来の横ガゼットを備えた袋体においては、内容物の充填により横ガゼットが開き、四角立方体となって自立の安定性を有するが、内容物によっては商品包装後の形状に不自然な膨らみが生じるため、重心が偏って転倒する不具合が生じている。また、袋体の開口部を開いた状態では、開口部の両側に横ガゼット４０の上端縁が袋体内方に突出するため、これが邪魔になり内容物を充填する際に内容物が横ガゼット４０の上端縁に当たって袋体の外側に零れ落ちたり、内容物の取り出しには内容物が横ガゼット４０に干渉してスムースな取り出しが得られない。
【０００４】
さらに、図７で示すように、内容物を包入しトップシール５１と横ガゼットの上端縁を別個にシール５０した袋体は、横ガゼット４０の上端縁が袋体開口部の両側でハの字状に開いた形態となり、美観を損ない商品陳列のディスプレー効果を低くしている。さらにまた、表裏の胴部フィルムは開口部から底部に向けて垂直面であるため、視線の角度によっては内容物の視認性を阻害するという問題を有している。
【特許文献１】特開２００１−２２５８４８公報
【特許文献２】特開２００１−２２５８４９公報
【発明の開示】
【発明が解決しようとする課題】
【０００５】
本発明は、横ガゼットを備えた袋体において、自立安定性の向上と美観性を高め商品陳列のディスプレー効果を高揚した合成樹脂製袋体を提供することである。
【課題を解決するための手段】
【０００６】
上記の課題を解決するための本発明は、
袋体の胴部を形成している表裏二枚の胴部フィルム（１ａ・１ｂ）と、袋体の両側部内方に向けてＶ字状に折り込まれたものであってその袋体の両側部を形成している左右一対の横ガゼット（４・４）と、袋体の底部内方に向けて逆Ｖ字状に折り込まれたものであってその袋体の底部を形成している底ガゼット（３）とを具備するものであること、および、
前記両横ガゼット（４・４）が前記両胴部フィルム（１ａ・１ｂ）の両側部間に介在されてその両胴部フィルム（１ａ・１ｂ）の両側部に接着されているものであること、および、
前記両胴部フィルム（１ａ・１ｂ）の上端部側には袋体の開口部（２）があり、その開口部（２）の内側には、袋内の両側部にわたる横長のものであって雌雄咬合型のものからなるチャック（３）が設けられていること
を前提とする合成樹脂製袋体において、
前記両横ガゼット（４・４）がそれぞれ三角形をしたものからなり、その両三角形横ガゼット（４・４）における各底辺（Ｂ）がそれぞれ前記底ガゼット（３）の折り込み幅の２倍の長さを有していること、および、
前記両三角形横ガゼット（４・４）の下辺がそれぞれＷ字状に折り込まれているとともに、両三角形横ガゼット（４・４）の当該Ｗ字状に折り込み部を除いた部分がそれぞれＶ字状に折り込まれており、かつ、このＷ字状に折り込みとＶ字状折り込みとによる第１折り込み稜線（４ａ）と第２折り込み稜線（４ｂ）と第３折り込み稜線（４ｃ・４ｃ）とを前記両三角形横ガゼット（４・４）がそれぞれ備えていること、および、
前記両三角形横ガゼット（４・４）の各頂点（Ｐ・Ｐ）が前記チャック（３）の両端部直下にあって、そのチャック（３）の上には両側部を接着された前記開口部（２）があること、および、
前記Ｖ字状の折り込み状態における前記両三角形横ガゼット（４・４）の各第１折り込み稜線（４ａ・４ａ）が、それぞれ各三角形横ガゼット（４・４）の頂点Ｐから前記底ガゼット（３）における折り込み稜線８ｃの両端にわたるものであるとともに、各三角形横ガゼット（４・４）の頂点（Ｐ・Ｐ）から折り込み稜線（８ｃ）の両端に向かうにしたがい袋体の内方へ傾斜するものであること、および、
前記両三角形横ガゼット（４・４）の各第２折り込み稜線（４ｂ・４ｂ）が前記Ｗ字状折り込み部の山折り線に該当するものであり、しかも、前記Ｗ字状の折り込み状態における該各第２折り込み稜線（４ｂ・４ｂ）が、前記各第１折り込み稜線（４ａ・４ａ）と前記底ガゼット折り込み稜線８ｃとの交点（Ｑ・Ｑ）を基点として、その底ガゼット折り込み稜線（８ｃ）の両端から袋体の両側部方向へ延びるものであること、および、
前記両三角形横ガゼット（４・４）の各第３折り込み稜線（４ｃ・４ｃ・４ｃ・４ｃ）が前記Ｗ字状折り込み部の谷折り線に該当するものであり、しかも、前記Ｗ字状の折り込み状態における該各第３折り込み稜線（４ｃ・４ｃ・４ｃ・４ｃ）が、前記各第１折り込み稜線（４ａ・４ａ）と前記底ガゼット折り込み稜線（８ｃ）との交点（Ｑ・Ｑ）を基点として、その底ガゼット折り込み稜線（８ｃ）の両端から袋体底部の四隅部方向へ延びるものであること、および、
内容物の充填により膨らんだときの袋体について、その袋体の両側部にある折り込み状態の前記両三角形横ガゼット（４・４）と、その袋体の底部にある折り込み状態の前記底ガゼット（３）とが、それぞれ展開状態になるものであること
を特徴とするものである。
【発明の効果】
【０００７】
本発明によると、内容物の充填により膨らんだときの袋体は、折り込み状態の両三角形横ガゼットと底ガゼットとがそれぞれ展開状態となり、袋体の底部に内容物の重量は開口部側の上方から底部に向けて収容面積が漸次増大するため、重心が底部に集中して自立安定性をより一層向上し商品陳列時における転倒などの不具合を解消する。また、横ガゼットの上端は袋体開口部近傍の両サイドに位置しているため、横ガゼットの上端縁が袋端内方に突出することがなく開口部は全幅に渡って開口した状態となり、内容物の出し入れに際し横ガゼットに干渉することがなく内容物をスムーズに出し入れすることができる。さらに、内容物の充填により、丁度合掌造りのような形態となって美観性を高め商品陳列のディスプレー効果を高揚する。さらにまた、表裏２枚の胴部フィルムは開口部から底部に向けて傾斜面を呈しているため、視線の角度に関係なく内容物の視認性を良好にしている等の効果を有している。
【発明を実施するための最良の形態】
【０００８】
以下本発明を実施するための最良の形態を図面に基づいて説明する。図１及び図２において、１ａは表胴部フィルムであり、１ｂは裏胴部フィルムでありサイドシール５されている。２は開口部、３は前記開口部３に沿って設けられた雌雄咬合型のチャック、６は前記チャック３の上方でチャック３と平行に線付けされた切り裂き予定線、７は前記切り裂き予定線と対応するよう両側又は片側端縁に設けられた開封用のノッチである。８は前記表胴部フィルム１ａ、裏胴部フィルム１ｂの下端に上方の開口部２側に向けて逆Ｖ字状に折り込んで形成された底ガゼットである。
【０００９】
前記底ガゼット８は、表胴部フィルム１ａと裏胴部フィルム１ｂ下端が連続した１枚のフィルムを上方の開口部３側に向けて逆Ｖ字状に折り込んで形成し、また、表胴部フィルム１ａと裏胴部フィルム１ｂとは別の底フィルムを上方の開口部３側に向けて逆Ｖ字状に折り込んで形成する。８ａは前記上方の開口部３側に向けて逆Ｖ字状に折り込んで形成した底ガゼット８の折り込み稜線である。
【００１０】
そこで、本発明の前記表胴部フィルム１ａと裏胴部フィルム１ｂの両側にサイドシール５にて接着した横ガゼット４は図３で示す三角形である。この横ガゼット４は底辺Ｂが前記底ガゼット８の折り込み幅Ｈの２倍の長さの三角形であり、この三角形の頂点Ｐを前記チャック３の両側端から袋体底部に向かって出発し前記底ガゼット８の折り込み稜線８ａまで内方に傾斜角度θ１を持たせたＶ字状の第１折り込み稜線４ａと、横ガゼット４の底辺は図４で示すように、Ｗ字状に折り込まれ、前記Ｗ字状折り込みの山折りは底ガゼット８の折り込み稜線８ａと平行な第２折り込み稜線４ｂを、谷折りは前記第１折り込み稜線４ａの前記底ガゼット８の折り込み稜線８ａに至る箇所（稜線４ａ・８ａの交点Ｑであって傾斜角度θ１で示す箇所）から袋体底のサイドに向かって外方に傾斜角度θ２を持たせた第３折り込み稜線４ｃを備えた構造である。
【００１１】
袋底の面積は上記底ガゼット８の折り込み幅Ｈの長短で得られ、この底ガゼット８の折り込み幅Ｈの長短に対応して横ガゼット４の底辺Ｂは長短調整され、底ガゼット８の折り込み幅Ｈを長くした場合の横ガゼット４の第１折り込み稜線４ａの傾斜角度θ１と第３折り込み稜線４ｃの傾斜角度θ２は緩角度となり、ガゼット８の折り込み幅Ｈを短くした場合の横ガゼット４の第１折り込み稜線４ａの傾斜角度θ１と第３折り込み稜線４ｃの傾斜角度はθ２急角度となる。
【００１２】
本発明に係る合成樹脂製袋体は上記の通りの構造であるから、図５で示すような膨満状態となる。
【００１３】
従って、袋体の底部に内容物の重量は開口部２側の上方から底部に向けて収容面積が漸次増大するため、重心が底部に集中して自立安定性をより一層向上し商品陳列時における転倒などの不具合を解消するのである。
【００１４】
また、横ガゼット４の上端は袋体開口部２近傍の両サイドに位置しているため、横ガゼット４の上端縁が袋端内方に突出することがなく開口部２は全幅に渡って開口した状態となり、内容物の出し入れに際し横ガゼット４に干渉することがなく内容物をスムーズに出し入れすることができるのである。
【００１５】
さらに、前記のように内容物の充填により、丁度合掌造りのような形態となって美観性を高め商品陳列のディスプレー効果を高揚するとともに、表裏胴部フィルム１ａ、１ｂは開口部２から底部に向けて傾斜面を呈しているため、視線の角度に関係なく内容物の視認性を良好にしているのである。
【００１６】
また、図５のような膨満状態となるため、内容物の充填時において袋内にエアを充満させることがスムーズになり、自動充填ミスが発生し難くなる。
【００１７】
図示のチャック３を具備している袋体においては、前記図５のような膨満状態となり、内容物が重量物であっても袋体内にデッドゾーンが生じないため、袋体内の内圧が均一になり破袋し難い。従って、フイルム厚を薄手のものを使用することができ製造コストを低減する利点がある。
【００１８】
さらに、従来タイプの横ガゼットを備えたチャック付袋体では、袋体内に折り込まれて接着された横ガゼットの上端縁がデッドゾーンを生じさせて隠れる形態となるため、横ガゼットに印刷表示を施しても前記デッドゾーン部分により隠蔽されるので印刷スペースが限られていたが、本発明による三角形の横ガゼット４によると、チャック３を具備した袋体においては、横ガゼット４がチャック３の両側端を起点として三角形状に底部まで広がって露呈する形態となり、前記デッドゾーン部分を生じることがなくなるため、この横ガゼット４の部分へ施した印刷表示が有効に活用することができ、商品陳列のディスプレー効果を一層高めることができる。
【図面の簡単な説明】
【００１９】
【図１】本発明による袋体の正面図
【図２】図１において表側の胴部フィルムを除外して袋体内部を示す図
【図３】横ガゼットの正面図
【図４】袋体の底を半開きした側面を示す斜視図
【図５】本発明による袋体の膨満状態の斜視図
【図６】従来一般的な横ガゼット付き袋体の正面図
【図７】図６の袋体の膨満状態の斜視図
【符号の説明】
【００２０】
１ａ  表胴部フィルム
１ｂ  裏胴部フィルム
２    開口部
３    チャック
４    横ガゼット
４ａ  第１折り込み稜線
４ｂ  第２折り込み稜線
４ｃ  第３折り込み稜線
５    サイドシール
６    切り裂き予定線
７    ノッチ
８    底ガゼット
８ａ  底ガゼットの折り込み稜線
Ｑ 交点
【図１】
0005042534.tif 000002
【図２】
0005042534.tif 000003
【図３】
0005042534.tif 000004
【図４】
0005042534.tif 000005
【図５】
0005042534.tif 000006
【図６】
0005042534.tif 000007
【図７】
0005042534.tif 000008